(57)【要約】【課題】顧客に対して会員登録の手続きを要求しなくても、売上データの登録時に優良顧客を特定して、優良顧客に対する処理を実行できるようにする。【解決手段】ＥＣＲを構成するカメラユニット部２は、客側カメラ２５により撮影された画像データと顔認識用データファイルの内容とを比較して顧客を特定するほか、顧客データベースを参照してその特定顧客の購入実績、来店実績に基づいて優良顧客であるか否かを判別し、その優良顧客であれば、所定の処理を実行する。例えば、優良顧客に対する所定の処理として、接客方法を知らせる通知データを操作者用表示部１６に表示したり、印刷部１７からクーポンを発行させたり、広告媒体（広告付きレシート）を発行させたりする。【選択図】  図１
2013011934.tif 000002
【特許請求の範囲】
【請求項１】
売上データを取引毎に登録処理する売上データ処理装置であって、
登録待ちの顧客を撮影する撮像手段と、
前記撮像手段により撮影された顧客の画像データに基づいて、その顧客を特定する顧客特定手段と、
少なくともその顧客の購入実績、来店実績のいずれかを示す実績データを顧客別に記憶管理する顧客データ記憶手段と、
前記顧客特定手段により特定された顧客に対応する前記実績データに基づいて、当該顧客は優良顧客であるか否かを判別する判別手段と、
前記判別手段により優良顧客であることが判別された場合に、その優良顧客に対して所定の処理を実行する処理手段と、
を具備したことを特徴とする売上データ処理装置。
【請求項２】
前記処理手段は、前記優良顧客に対する所定の処理として、接客方法を知らせる通知データを表示させる処理を実行する、
ようにしたことを特徴とする請求項１に記載の売上データ処理装置。
【請求項３】
データ印刷を行う印刷手段を更に備え、
前記処理手段は、前記優良顧客に対する所定の処理として、前記印刷手段に対してクーポン印刷を指示してクーポンを発行させる処理を実行する、
ようにしたことを特徴とする請求項１あるいは請求項２に記載の売上データ処理装置。
【請求項４】
データ印刷を行う印刷手段を更に備え、
前記処理手段は、前記優良顧客に対する所定の処理として、前記印刷手段に対して広告データの印刷を指示して広告媒体を発行させる処理を実行する、
ようにしたことを特徴とする請求項１〜請求項３のいずれかに記載の売上データ処理装置。
【請求項５】
前記撮像手段により撮影された顧客の画像データに基づいて、少なくもその顧客の性別、年齢層のいずれかを推測する推測手段を更に備え、
前記処理手段は、前記優良顧客に対する所定の処理として、前記推測手段により推測された性別、年齢層に応じた印刷内容の広告媒体を発行させる、
ようにしたことを特徴とする請求項４に記載の売上データ処理装置。
【請求項６】
前記顧客特定手段により顧客を特定することができなかった場合に、前記撮影された顧客を新規顧客として、その画像データを前記顧客データ記憶手段に登録する登録手段と、
前記新規顧客である旨を前記売上データ処理装置に対して通知する通知手段と、
を更に備える、
ようにしたことを特徴とする請求項１〜請求項５のいずれかに記載の売上データ処理装置。
【請求項７】
前記撮像手段は、登録待ち顧客が視認する客用表示部に搭載されていると共に登録待ち顧客の顔を対面撮影することが可能な向きに設置されている、
ことを特徴とする請求項１〜請求項６のいずれかに記載の売上データ処理装置。
【請求項８】
売上データを取引毎に登録処理する売上データ処理装置と、売上データを管理する管理装置を備えた売上データ処理システムであって、
前記売上データ処理装置は、登録待ちの顧客を撮影する撮像手段と、を備え、
前記管理装置は、
前記撮像手段により撮影された顧客の画像データに基づいてその顧客を特定する顧客特定手段と、
顧少なくともその顧客の購入実績、来店実績のいずれかを示す実績データを顧客別に記憶管理する顧客データ記憶手段と、
前記顧客特定手段により特定された顧客に対応する前記実績データに基づいて、当該顧客は優良顧客であるか否かを判別する判別手段と、
を備え、
更に前記売上データ処理装置は、前記判別手段により優良顧客であると判別された場合に、その優良顧客に対して所定の処理を実行する処理手段と、を備える、
ようにしたことを特徴とする売上データ処理システム。
【請求項９】
前記処理手段は、前記優良顧客に対する所定の処理として、接客方法の通知データを表示させる処理を実行する、
ようにしたことを特徴とする請求項８に記載の売上データ処理システム。
【請求項１０】
前記売上データ処理装置は、データ印刷を行う印刷手段を更に備え、
前記処理手段は、前記優良顧客に対する所定の処理として、前記印刷手段に対してクーポン印刷を指示してクーポンを発行させる処理を実行する、
ようにしたことを特徴とする請求項８あるいは請求項９に記載の売上データ処理システム。
【請求項１１】
前記売上データ処理装置は、データ印刷を行う印刷手段を更に備え、
前記処理手段は、前記優良顧客に対する所定の処理として、前記印刷手段に対して広告データの印刷を指示して広告媒体を発行させる処理を実行する、
ようにしたことを特徴とする請求項８〜請求項１０のいずれかに記載の売上データ処理システム。
【請求項１２】
前記管理装置は、前記撮像手段により撮影された顧客の画像データに基づいて、少なくもその顧客の性別、年齢層のいずれかを推測する推測手段を更に備え、
前記処理手段は、前記優良顧客に対する所定の処理として、前記推測手段により推測された性別、年齢層に応じた印刷内容の広告媒体を発行させる、
ようにしたことを特徴とする請求項１１に記載の売上データ処理システム。
【請求項１３】
前記管理装置は、
前記顧客特定手段により顧客を特定することができなかった場合に、前記撮影された顧客を新規顧客として、その画像データを前記顧客データ記憶手段に登録する登録手段と、
前記新規顧客である旨を前記売上データ処理装置に対して通知する通知手段と、
を更に備える、
ようにしたことを特徴とする請求項８〜請求項１２のいずれかに記載の売上データ処理システム。
【請求項１４】
コンピュータに対して、
売上データを取引毎に登録処理する機能と、
登録待ちの顧客を撮影する機能と、
前記撮影された顧客の画像データに基づいて、その顧客を特定する機能と、
少なくともその顧客の購入実績、来店実績のいずれかを示す実績データを顧客別に記憶管理する機能と、
前記特定された顧客に対応する前記実績データに基づいて、当該顧客は優良顧客であるか否かを判別する機能と、
前記優良顧客であることが判別された場合に、その優良顧客に対して所定の処理を実行する機能と、
を実現させるためのプログラム。
【発明の詳細な説明】
【技術分野】
【０００１】
本発明は、売上データを取引毎に登録処理する売上データ処理装置及び売上データ処理システム並びにプログラムに関する。
【背景技術】
【０００２】
一般に、店舗においては、ＥＣＲ（Electronic Cash Register）、ＰＯＳ（Point of sale）端末などの売上データ処理装置により登録処理された売上データを分析したり、その顧客（購入者）の属性（買物頻度、リピート率、性別、年齢層など）を分析したりするようにしている。例えば、顧客の買物頻度やリピート率、性別や年齢層などを分析する場合には、予め発行した会員カードから読み取ったカードデータに基づいてその顧客（会員ＩＤ）を特定して、購入履歴として記録して分析するようにしているが、会員カードを媒体とした顧客分析では、会員カードの発行やコスト、更には会員加入率に課題が残るほか、非会員にあっては顧客分析を行うことはできない。
そこで、従来では、顧客の顔を撮影するカメラを備え、このカメラによる撮影画像から顔の特徴を抽出して、その抽出結果と顧客データベースの内容（顔の特徴点データ）とを照合することにより顧客を特定し、それに対応付けられている顧客データ（氏名、住所、電話番号など）をデータベースから読み出して表示するようにした技術が知られている（特許文献１参照）。
【先行技術文献】
【特許文献】
【０００３】
【特許文献１】特開２００１−３２５４３３号公報
【発明の概要】
【発明が解決しようとする課題】
【０００４】
しかしながら、上述した特許文献１の技術にあっても、予め会員登録した顧客を対象としたものであり、会員以外の誰でも顔を認識して顧客を特定するようにしたものではなかった。
【０００５】
本発明の課題は、顧客に対して会員登録の手続きを要求しなくても、売上データの登録時に優良顧客を特定して、優良顧客に対する処理を実行できるようにすることである。
【課題を解決するための手段】
【０００６】
上述した課題を解決するために本発明の一つの態様は、
売上データを取引毎に登録処理する売上データ処理装置であって、
登録待ちの顧客を撮影する撮像手段と、
前記撮像手段により撮影された顧客の画像データに基づいて、その顧客を特定する顧客特定手段と、
少なくともその顧客の購入実績、来店実績のいずれかを示す実績データを顧客別に記憶管理する顧客データ記憶手段と、
前記顧客特定手段により特定された顧客に対応する前記実績データに基づいて、当該顧客は優良顧客であるか否かを判別する判別手段と、
前記判別手段により優良顧客であることが判別された場合に、その優良顧客に対して所定の処理を実行する処理手段と、
を具備したことを特徴とする売上データ処理装置である。
【０００７】
上述した課題を解決するために本発明の他の態様は、
売上データを取引毎に登録処理する売上データ処理装置と、売上データを管理する管理装置を備えた売上データ処理システムであって、
前記売上データ処理装置は、登録待ちの顧客を撮影する撮像手段と、を備え、
前記管理装置は、
前記撮像手段により撮影された顧客の画像データに基づいてその顧客を特定する顧客特定手段と、
顧少なくともその顧客の購入実績、来店実績のいずれかを示す実績データを顧客別に記憶管理する顧客データ記憶手段と、
前記顧客特定手段により特定された顧客に対応する前記実績データに基づいて、当該顧客は優良顧客であるか否かを判別する判別手段と、
を備え、
更に前記売上データ処理装置は、前記判別手段により優良顧客であると判別された場合に、その優良顧客に対して所定の処理を実行する処理手段と、を備える、
ようにしたことを特徴とする売上データ処理システムである。
【０００８】
更に、上述した課題を解決するために本発明の他の態様は、
コンピュータに対して、
売上データを取引毎に登録処理する機能と、
登録待ちの顧客を撮影する機能と、
前記撮影された顧客の画像データに基づいて、その顧客を特定する機能と、
少なくともその顧客の購入実績、来店実績のいずれかを示す実績データを顧客別に記憶管理する機能と、
前記特定された顧客に対応する前記実績データに基づいて、当該顧客は優良顧客であるか否かを判別する機能と、
前記優良顧客であることが判別された場合に、その優良顧客に対して所定の処理を実行する機能と、
を実現させるためのプログラムである。
【発明の効果】
【０００９】
本発明によれば、顧客に対して会員登録の手続きを要求しなくても、売上データの登録時に優良顧客を特定して、優良顧客に対する処理を実行することができ、顧客サービスの向上や販売促進を図ることが可能となる。
【図面の簡単な説明】
【００１０】
【図１】ＥＣＲの基本的な構成要素を示したブロック図。
【図２】ＥＣＲ（ＥＣＲ本体ユニット部１）をその前方斜め（顧客側）から見た状態の外観斜視図。
【図３】客側カメラ２５によって撮影した登録待ち行列の顧客画像を例示した図。
【図４】カメラユニット部２側に記憶管理されているファイルやデータベースを示した図。
【図５】顧客データベースＹ３を説明するための図。
【図６】モードスイッチＭＳが「登録（ＲＥＧ）」モードに切り換えられている場合に実行される登録処理を説明するためのフローチャート。
【図７】顧客特定登録処理（図６のステップＡ１０）を詳述するためのフローチャート。
【図８】レシート発行処理（図６のステップＡ１４）を詳述するためのフローチャート。
【図９】売上データ処理装置として適用したＥＣＲ１００と、このＥＣＲ１００に通信接続されていて売上データを管理する管理装置（サーバ装置）２００を備えた売上データ処理システムを示したブロック図。
【図１０】ＥＣＲ１００側で実行される登録処理を示したフローチャート。
【図１１】サーバ装置２００側の動作を示したフローチャート。
【発明を実施するための形態】
【００１１】
（第１実施形態）
先ず、図１〜図８を参照して本発明の第１実施形態を説明する。
図１は、売上データ処理装置として適用したＥＣＲ（Electronic Cash Register）の基本的な構成要素を示したブロック図である。
このＥＣＲ（売上データ処理装置）は、ＥＣＲ本体ユニット部１とカメラユニット部２とに分離された構成で、ＥＣＲ本体ユニット部１とカメラユニット部２とは、ケーブル３を介して着脱自在に接続されている。ＥＣＲ本体ユニット部１は、ＥＣＲとしての基本的な機能（標準機能）として、入力された一取引分の売上データを登録処理すると共に、一取引分の登録終了時に顧客から渡された金種に応じた種類の締め処理を行う売上データ登録機能などを備えている。また、本実施形態においては、更にＥＣＲ本体ユニット部１には各種のキーやドロアオープン／クローズなどに応じてイベントコードを発生させて、そのイベントコードをジャーナルレコードとしてカメラユニット部２に対して転送する機能を有している。
【００１２】
カメラユニット部２は、登録待ち（精算待ち）をしている顧客を撮影したり、担当者（オペレータ）及びその操作状況を撮影したりするカメラ機能のほか、このカメラ機能により撮影された顧客画像に基づいて、その顧客の属性（例えば、性別や年齢層）を特定する顧客属性特定機能などを有し、各種の機能をモジュール化した構成となっている。このカメラユニット部２は、ケーブル３を介してＥＣＲ本体ユニット部１に着脱自在に接続されており、故障などにより何時でも自由に交換可能となっている。なお、ＥＣＲ本体ユニット部１とカメラユニット部２とは、必要に応じて協動して各種の処理を行うようにしている。
【００１３】
ＥＣＲ本体ユニット部１は、ＣＰＵ１１を中核とするもので、各種プログラムにしたがってこのＥＣＲ本体ユニット部１の全体動作を制御する中央演算処理装置である。記憶部１２は、例えば、ＲＯＭ、ＲＡＭ、フラッシュメモリなどの記憶媒体やその駆動系を有し、後述する図６〜図８に示した動作手順に応じて本実施形態を実現するためのプログラムや各種のアプリケーションなどを記憶したり、データベース、文字フォントデータなどを記憶したりする。なお、上述の記憶媒体は固定的に設けた内蔵型の記憶媒体に限らず、着脱可能な可搬型の外部記憶媒体であってもよく、また、プログラム／データは、他の機器から有線伝送路あるいは無線伝送路を介して記憶媒体にインストールしたり、プログラム／データを記憶管理するサーバなどをアクセスして使用したりするようにしてもよい。メモリ１３は、計時データ、フラグデータなど、このＥＣＲ本体ユニット部１が動作するために必要な各種のデータを一時的に記憶するワーク領域である。
【００１４】
また、ＣＰＵ１１には、その入出力周辺デバイスである操作部１４、スキャナ１５、操作者用表示部１６、印刷部１７、ドロア駆動部１８、ＣＯＭポート１９がバスラインを介して接続されており、入出力プログラムにしたがってＣＰＵ１１はそれらの動作を制御する。操作部１４は、押しボタン式の各種キーが配列されているキーボードを有し、このキーボード上には図示省略したが、テンキー、登録キー、小計キー、現金／預かり金キーなどの締めキーなどが配設されていると共に、モードスイッチＭＳが配設されている。
【００１５】
モードスイッチＭＳは、その切り換え位置に応じて「登録（ＲＥＧ）」、「ＲＦ（戻し）」、「Ｚ（精算）」などの各種の動作モード（プログラム種）を切り換えるロータリー式のスイッチである。ＣＰＵ１１は、「登録（ＲＥＧ）」モードに切り換えられている状態において、入力された売上データを表示させたり、レシート印刷させたり、更には、売上合計を更新したりする登録処理を実行し、一取引の登録終了時に締めキーが押下されると、ドロアを開放させたり、レシートを発行させたりする。
【００１６】
イメージスキャナ１５は、例えば、ＣＣＤやＣＭＯＳなどの画像センサ（イメージセンサ）を有し、商品の登録時のスキャニング動作時にその商品に添付されているバーコードや二次元コードを撮影することにより読み取るもので、ＣＰＵ１１は、イメージスキャナ１５により撮影された画像データを解析することによってバーコードなどのコードデータをデコードして商品を特定するようにしている。操作者用表示部１６は、担当者（オペレータ）用として、金額や商品に関するデータ、メッセージなどを表示するもので、例えば、液晶ディスプレイ又は有機ＥＬ（Electro Luminescence）ディスプレイなどにより構成されている。印刷部１７は、例えば、熱転写やインクジェットなどのノンインパクトプリンタあるいはドットインパクトプリンタであり、印刷物（例えば、クーポン付きのレシート）の印刷を行う。ドロア駆動部１８は、キー操作に応じてドロア１８Ａの開閉を制御する。ＣＯＭポート１９は、カメラユニット部２との接続用のシリアルポートである。
【００１７】
カメラユニット部２は、ＣＰＵ２１を中核とするもので、各種プログラムにしたがってこのカメラユニット部２の全体動作を制御する中央演算処理装置である。記憶部２２は、例えば、ＲＯＭ、ＲＡＭ、フラッシュメモリなどの記憶媒体やその駆動系を有し、本実施形態を実現するためのプログラムや各種のアプリケーションなどを記憶する。メモリ２３は、このカメラユニット部２が動作するために必要な各種のデータを一時的に記憶するワーク領域である。
【００１８】
また、ＣＰＵ２１には、その入出力周辺デバイスである客用表示部２４、客側カメラ２５、操作側カメラ２６、カードインターフェイス部２７、ＣＯＭポート２９がバスラインを介して接続されており、入出力プログラムにしたがってＣＰＵ２１はそれらの動作を制御する。客用表示部２４は、登録待ち（精算待ち）の顧客用としてその画面を顧客側に対面させたもので、例えば、７セグメントＬＥＤ（発光ダイオード）などにより構成され、商品単価、個数、小計金額、預かり金額などを数値表示する。
【００１９】
客側カメラ２５は、客用表示部２４に接近配設されたもので、登録待ちしている顧客の顔を中心として撮影し、また、操作側カメラ２６は、操作部１４の全体及び操作中のオペレータの顔を撮影可能なもので、担当者（オペレータ）及びその操作状況を撮影する監視カメラである。なお、客側カメラ２５、操作側カメラ２６の詳細は、図示省略したが、レンズ部、撮像素子、Ａ／Ｄ（アナログ／デジタル）変換部などを有し、動画像を撮影可能な構成で、レンズ部からの被写体像が撮像素子（ＣＣＤ又はＣＭＯＳ）に結像されることにより被写体を高精細に撮影可能な構成となっている。
【００２０】
カードインターフェイス部２７は、記録媒体としてのＳＤカード２８が挿入接続されるもので、このＳＤカード２８には、後述する各種のファイルが格納されている。なお、カメラユニット部２には、カードインターフェイス部２７に挿入接続されたＳＤカード２８の盗難などを防ぐために錠前（図省略）が配設されており、例えば、責任者が所持する専用鍵を使用して、錠前を開いてＳＤカード２８を取り出すようにしている。また、ＳＤカード２８に限らず、その他の外部記録媒体であってもよい。ＣＯＭポート２９は、ＥＣＲ本体ユニット部１との接続用のシリアルポートである。
【００２１】
図２は、上述のように構成されたＥＣＲ（ＥＣＲ本体ユニット部１）をその前方斜め（顧客側）から見た状態の外観斜視図である。
ＥＣＲ本体ユニット部１の上面部には、操作者用表示部１６が配設されていると共に、操作部１０４を構成するキーボード及びモードスイッチＭＳが配設されている。また、ＥＣＲ本体ユニット部１の上面部には、印刷部１０７から送出されるレシート（例えば、クーポン付きレシート）を取り出すためのレシート発行口（図示省略）が配設されている。
【００２２】
カメラユニット部２は、客用表示部２４の筐体２Ａと、その筐体２Ａを支持するポール状の支持部材（支持ポール）２Ｂとを有している。支持ポール２０Ｂは、客用表示部２４の筐体２Ａを支持するもので、その下端部はＥＣＲ本体ユニット部１の背面側の垂直に固定されている。また、支持ポール２Ｂの上端部は客用表示部２４の筐体２Ａが装着され、その長さを調整可能な構造となっていると共に、客用表示部２４の筐体２Ａは、支持ポール２Ｂに対して回転可能となっている。つまり、筐体２Ａの高さとその向きを調整可能となっており、それに応じて客用表示部２４、客側カメラ２５の高さとその向きも調整可能となっている。
【００２３】
客側カメラ２５は、図２に示すように筐体２０Ａの前面において客用表示部２４の一端部（図中、左側端部）に接近配設され、その撮影方向は、登録待ちしている顧客方向で、その画角は、登録待ち行列の顧客を撮影可能な範囲となっている。図３は、客側カメラ２５によって撮影した登録待ち行列の顧客画像を例示したもので、先頭の顧客の後ろに次の顧客が並んでいる状態を示している。カメラユニット部２は、客側カメラ２５により登録待ち行列の顧客を撮影した顧客画像を解析することにより、顧客属性（性別、年齢層）を特定したり、その顧客の過去の売上実績（例えば、売上合計金額）、来店実績（例えば、来店回数）を考慮して優良顧客であるか否かを特定したりする。
【００２４】
図４は、カメラユニット部２側に備えられたファイルやデータベースを示した図である。カメラユニット部２側には、客側動画ファイルＹ１、顔認識用データファイルＹ２、顧客データベースＹ３などが記憶管理されている。客側動画ファイルＹ１は、客側カメラ２５により撮影された動画ファイルであり、各動画ファイルに対応してそのファイルなど共に録画日時（タイムスタンプ）が逐次記憶されている。ＣＰＵ２１は、この客側動画ファイルＹ１は、顧客特定用として１フレーム分の画像データ（静止画像）を抽出生成するようにしている。
【００２５】
顔認識用データファイルＹ２は、客側動画ファイルＹ１から顧客特定用として抽出生成した画像データに基づいて顧客を特定する際に照合される顔認識用の画像ファイルで、顧客毎にその「顔認識用データ（顔の特徴点データ）」のほか、「顧客認識出力ＩＤ」の項目を記憶管理する構成となっている。「顧客認識出力ＩＤ」は、客側カメラ２５により撮影された画像に基づいてその顔を認識する処理を実行した結果、認識された顧客を識別するための識別データである。顧客データベースＹ３は、顧客毎にその顧客に関するデータを記憶管理するファイルである。
【００２６】
図５は、顧客データベースＹ３を説明するための図である。
顧客データベースＹ３は、「顧客認識出力ＩＤ」、「性別」、「年齢層」、「登録日」、「売上実績」、「来店実績」…の各項目を有する顧客レコードを記憶する構成となっている。「顧客認識出力ＩＤ」は、顔認識用データファイルＹ３とリンクさせるための顧客識別データである。「性別」、「年齢層」は、顧客を撮影した画像データを解析することにより推測されたデータであり、髪型、化粧の有無、服装、皺の状態などを総合的に判断して性別及び年齢層を特定するようにしている。なお、性別及び年齢層を特定は、カメラなどの技術において一般的に用いられている技術であり、本実施形態ではその周知技術を利用するようにしているため、その具体的な説明については省略するものとする。
【００２７】
「登録日」は、当該顧客レコードを登録した日付を示し、上述の「顧客認識出力ＩＤ」の一部にはこの「登録日」を含めるようにしている。例えば、「登録日」が“２０１０年１月１５日”とすると、「顧客認識出力ＩＤ」は、“２０１００１１５００１”となる。なお、末尾の３桁“００１”は、一連番号を示している。「売上実績」は、その顧客が購入した現時点までの購入合計金額、つまり、売上合計額（累計値）を示している。「来店実績」は、その顧客が来店した現時点までの来店回数（累計値）を示している。ここで、カメラユニット部２側においては、「売上実績」が基準値（例えば、５０，０００円）以上の場合あるいは「来店実績」が基準値（例えば、２０回）以上の場合に、優良顧客であると特定するようにしている。なお、「売上実績」は、売上合計金額に限らず、売上合計個数などであってもよく、また、「来店実績」は、来店回数に限らず、来店頻度などであってもよい。
【００２８】
次に、第１実施形態におけるＥＣＲ１の動作概念を図６〜図８に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
なお、図６は、ＥＣＲの全体動作のうち、本実施形態の特徴部分の動作概要を示したフローチャートであり、この図６のフローから抜けた際には、全体動作のメインフロー（図示省略）に戻る。
【００２９】
図６は、モードスイッチＭＳが「登録（ＲＥＧ）」モードに切り替えられている場合に実行される登録処理を説明するためのフローチャートである。なお、ＥＣＲ本体ユニット部１は、必要に応じてカメラユニット部２と協動して各種の処理を行うようにしている。
先ず、ＥＣＲ本体ユニット部１のＣＰＵ１１は、売上データを登録する登録操作が行われたかを調べたり（ステップＡ１）、小計キーが操作されたかを調べたり（ステップＡ８）、締めキーが操作されたかを調べたり（ステップＡ１１）、その他のキーが操作されたかを調べたりする（ステップＡ１６）。
【００３０】
いま、売上データを登録する登録操作が行われたときには、つまり、商品からバーコードなどを読み取るためにスキャナ１５によるスキャニング動作が行われたか、金額データの値数入力後に商品キーなどが操作されたときには（ステップＡ１でＹＥＳ）、次のステップＡ２に移り、ＥＣＲ本体ユニット部１は、カメラユニット部２側をアクセスして、客側カメラ２５の撮影動作は停止中であるかを調べる。ここで、客側カメラ２５が停止中であれば（ステップＡ２でＹＥＳ）、一取引の最初の登録操作かを調べる（ステップＡ３）。いま、一取引の最初の登録操作が行われたときには（ステップＡ３でＹＥＳ）、「動画ファイル名」を生成してカメラユニット部２側に転送することにより当該「動画ファイル名」を設定させた後（ステップＡ４）、客側カメラ２５を起動させてその撮影画像を逐次記録する録画動作を開始させる（ステップＡ５）。そして、商品登録処理に移る（ステップＡ６）。
【００３１】
一方、客側カメラ２５が動作中の場合（ステップＡ２でＮＯ）、客側カメラ２５が停止中であっても一取引の最初の登録操作ではない場合には（ステップＡ３でＮＯ）、上述の動画ファイル名の設定処理（ステップＡ４）及び客側カメラ２５の起動・録画処理（ステップＡ５）をスキップして、商品登録処理に移る（ステップＡ６）。この商品登録処理では、入力された商品名及び単位を操作者用表示部１６及び客用表示部２４に表示させたり、図示省略した商品別合計ファイル、部門別合計ファイルの内容（売上データ）に今回の売上データを加算して更新したりする処理を行う。この場合、ＥＣＲ本体ユニット部１から表示データをカメラユニット部２側に転送することにより客用表示部２４に商品名及び単位を表示させるようにしている。
【００３２】
このような商品登録処理が行われると、一取引分の小計金額を更新した後（ステップＡ７）、操作待ちのステップＡ１に戻る。以下、登録操作が行われる毎に、上述の動作を繰り返す。また、小計キーが操作されたときには（ステップＡ８でＹＥＳ）、小計金額を操作者用表示部１６及び客用表示部２４に表示させる（ステップＡ９）。そして、カメラユニット部２に対して顧客特定登録処理の開始を指示した後（ステップＡ１０）、操作待ちのステップＡ１に移る。
【００３３】
図７は、カメラユニット部２による顧客特定登録処理（図６のステップＡ１０）を詳述するためのフローチャートである。
先ず、カメラユニット部２のＣＰＵ２１は、現在の動画撮影中の中から１フレーム分の画像を抽出し（ステップＢ１）、この抽出画像（静止画像）を解析することにより顔の特徴点データを抽出する（ステップＢ２）。そして、この特徴点データに基づいて顔認識用データファイルＹ２を検索する（ステップＢ３）。その結果、今回抽出した顔の特徴点データが、顔認識用データファイルＹ２に既に登録されている人物の顔の特徴点データに該当しているか（特徴的に一致しているか）、つまり、登録されている人物（顧客）に該当しているかを調べ（ステップＢ４）、登録されている人物に該当していれば（ステップＢ４でＹＥＳ）、顧客を特定することができたものとして判断して、顔認識用データファイルＹ２から該当する「顔認識出力ＩＤ」を取得した後（ステップＢ５）、図７のフローから抜ける。
【００３４】
また、登録されている人物に該当していなければ（ステップＢ４でＮＯ）、上述の抽出画像（静止画像）を解析することによりその顧客の性別及び年齢層を推測する（ステップＢ６）。そして、「顔認識出力ＩＤ」、「登録日」を新たに生成すると共に（ステップＢ７）、この「顔認識出力ＩＤ」、「登録日」、「性別」、「年齢層」を含む新規レコードを生成し（ステップＢ８）、顧客データベースＹ３に新規顧客として登録（追加登録）する（ステップＢ９）。また、顔の特徴点データを「顔認識出力ＩＤ」と共に顔認識用データファイルＹ２に新規顧客として登録（追加登録）する（ステップＢ１０）。そして、新規顧客として追加登録したことをオペレータに知らせる通知データ（メッセージ）を操作者用表示部１６に表示させる通知処理を行った後（ステップＢ１１）、図７のフローから抜ける。
【００３５】
一方、図６の登録処理において、その他のキー、例えば、訂正キーなどが操作されたときには（図６のステップＡ１６でＹＥＳ）、操作に応じた処理として、訂正処理などを実行した後（ステップＡ１７）、上述した操作待ちのステップＡ１に戻る。また、一取引分の登録終了時において現金／預かり金キーなどの締めキーが操作されたときには（ステップＡ１１でＹＥＳ）、顧客から渡された金種に応じた種類の締め処理（取引別合計を更新する処理）を行ったり、現金取引の場合にはドロアを開放させたりする（ステップＡ１２）。そして、上述した顧客特定登録処理（ステップＡ１０）で特定した顧客の「顔認識出力ＩＤ」に基づいて、顧客データベースＹ３を検索し、対応する「売上実績」に今回の取引分の売上金額を更新すると共に、その顧客の「来店実績」に“１”を加算してその値を更新する（ステップＡ１３）。そして、レシート発行処理を実行した後（ステップＡ１４）、客側カメラ２５の動作を停止させる（ステップＡ１５）。これによって一取引分の登録処理の終了となる。
【００３６】
図８は、レシート発行処理（図６のステップＡ１４）を詳述するためのフローチャートである。
ＥＣＲ本体ユニット部１のＣＰＵ１１は、上述した顧客特定登録処理（図６のステップＡ１０）で特定した顧客の「顔認識出力ＩＤ」に基づいて、顧客データベースＹ３を検索し、対応する「売上実績」、「来店実績」を読み出し取得した後（ステップＣ１）、その「売上実績」が基準値（例えば、５０，０００円）以上であるか、あるいは「来店実績」が基準値（例えば、２０回）以上であるかを調べる（ステップＣ２）。いま、少なくとも「来店実績」、「来店実績」のいずれか一方が対応する基準値以上であれば（ステップＣ２でＹＥＳ）、その顧客を優良顧客として特定する（ステップＣ３）。
【００３７】
そして、優良顧客として接客すべきことを示す接客案内メッセージを操作者用表示部１６に表示させた後（ステップＣ４）、上述のようにして特定した顧客の性別及び年齢層を取得し（ステップＣ５）、この性別及び年齢層に対応して予め用意されている広告データ（例えば、性別及び年齢層に応じた推奨品の広告データ）を取得する（ステップＣ６）。ここで、印刷部１０７を駆動させた後、今回の一取引分の売上データ、預かり金、つり銭をレシート印刷させると共に、性別、年齢層別の広告データをレシートに印刷させる（ステップＣ７）。そしてレシートの末尾にクーポンを印刷させた後（ステップＣ８）、クーポン付きレシートを発行させる（ステップＣ９）。一方、今回取引した顧客が優良顧客でなければ（ステップＣ２でＮＯ）、今回の一取引分の売上データ、預かり金、つり銭をレシート印刷させた後（ステップＣ１０）、レシートを発行させる（ステップＣ９）。
【００３８】
以上のように、第１実施形態においてＥＣＲを構成するカメラユニット部２は、客側カメラ２５により撮影された画像データと顔認識用データファイルＹ２の内容とを比較して顧客を特定するほか、顧客データベースＹ３を参照して、その特定顧客の購入実績、来店実績に基づいて優良顧客であるか否かを判別し、その優良顧客であれば、所定の処理を実行するようにしたので、顧客に対して会員登録の手続きを要求しなくても、売上データの登録時に優良顧客を特定してサービスを提供することができ、顧客サービスの向上や販売促進を図ることが可能となる。なお、優良顧客に対する所定の処理として、顧客に特典を付与するサービスであれば、顧客の特定が厳密ではなくても顧客に不利益を与えることはない。
【００３９】
優良顧客に対する所定の処理として、接客方法を知らせる通知データを表示するようにしたので、優良顧客に対する挨拶の仕方などを疎かにすることを防ぐことが可能となる。
【００４０】
優良顧客に対する所定の処理として、クーポンを発行するようにしたので、優良顧客にあっては利益を享受することができると共に、自分が優良顧客扱いされていることを知ることができる。
【００４１】
優良顧客に対する所定の処理として、広告データの印刷した広告媒体（広告付きレシート）を発行するようにしたので、購買意欲の高い顧客などをターゲットとした適切な広告が可能となる。
【００４２】
顧客を撮影した画像データを解析してその性別、年齢層を推測して、この性別、年齢層に応じた印刷内容の広告媒体を発行するようにしたので、顧客の属性に合った効果的な広告が可能となる。
【００４３】
顧客を特定することができなかった場合に、新規顧客として、その画像データを顔認識用データファイルＹ２及び顧客データベースＹ３に登録すると共に、新規顧客を登録したオペレータに案内表示するようにしたので、オペレータにあっては新規顧客に対する接客が可能となるほか、特別な登録作業を強要されることもなく、オペレータの負担を軽減させることができる。
【００４４】
客側カメラ２５は、登録待ち顧客が視認する客用表示部２４に搭載されていると共に登録待ち顧客の顔を対面撮影することが可能な向きに設置されているので、顧客の顔を正面から撮影することができ顔認識を適切に行うことが可能となる。
【００４５】
（第２実施形態）
以下、この発明の第２実施形態について図９〜図１１を参照して説明する。
なお、上述した第１実施形態においては、ＥＣＲ単体に適用した場合を示したが、この第２実施形態においては、このＥＣＲと管理装置（サーバ装置）とを通信接続した売上データ処理システムに適用した場合である。ここで、両実施形態において基本的あるいは名称的に同一のものは、同一符号を付して示し、その説明を省略すると共に、以下、第２実施形態の特徴部分を中心に説明するものとする。
【００４６】
図９は、売上データ処理システムを示したブロック図である。
売上データ処理システムは、店舗内に設置されている複数台のＥＣＲ１００が管理装置（サーバ装置）２００にＬＡＮ（構内専用回線）３００を介して接続されたＬＡＮシステムで、系列店舗Ａの売上データ処理システムは、インターネット４００を介して他の系列店舗Ｂの売上データ処理システムなどに接続されて通信可能となっている。なお、ＥＣＲ１００の構成は、図１で示した構成と基本的に同様であるが、第２実施形態においては、更に、管理装置（サーバ装置）２００との間でデータの送受信を行うＬＡＮ通信部１０１を有している。
【００４７】
また、管理装置（サーバ装置）２００は、パーソナルコンピュータ（ＰＣ）であり、その構成は、図示省略したが、ＣＰＵ、記憶部、表示部、操作部のほか、ＥＣＲ１００との間でデータの送受信を行うＬＡＮ通信部２０１を有している。また、上述した第１実施形態では、カメラユニット部２側が顔認識用データファイルＹ２、顧客データベースＹ３を記憶管理するようにしたが、この第２実施形態においては、サーバ装置２００側が顔認識用データファイルＹ２、顧客データベースＹ３を記憶管理し、サーバ装置２００側で顔認識処理を行うようにしている。
【００４８】
図１０は、ＥＣＲ１００側での登録処理を示したフローチャートで、登録操作に応じて実行開始される。
ＥＣＲ１００は、一取引分の登録処理が終了すると（図１０のステップＤ１）、この一取引分の売上データと、上述のように小計キーの操作タイミングで抽出した顧客の画像データとをサーバ装置２００に対して送信する（ステップＤ２）。そして、サーバ装置２０からデータを受信したか、すなわち、新規顧客を登録した旨のデータを受信したか（ステップＤ３）、優良顧客に関するデータを受信したかを調べ（ステップＤ５）、いずれのデータも受信しなければ（ステップＤ５でＮＯ）、一取引分の売上データをレシート印刷し（ステップＤ１０）、レシートを発行した後（ステップＤ９）、図１０のフローから抜ける。
【００４９】
図１１は、サーバ装置２００側の動作を示したフローチャートである。
サーバ装置２００は、受信待ち状態においてＥＣＲ１００からデータを受信すると、つまり、一取引分の売上データとその取引の顧客の画像データを受信すると（図１１のステップＥ１でＹＥＳ）、受信した顧客の画像データを解析することによって顔の特徴点を抽出する（ステップＥ２）。そして、この特徴点データに基づいて顔認識用データファイルＹ２を検索し（ステップＥ３）、この顔認識用データファイルＹ２に登録されている人物（顧客）に該当するかを調べ（ステップＥ４）、登録されている人物に該当していれば（ステップＥ４でＹＥＳ）、顧客を特定することができたものとして判断して、顔認識用データファイルＹ２から該当する「顔認識出力ＩＤ」を取得した後（ステップＥ５）、次のステップＥ１２に移る。
【００５０】
また、登録されている顧客に該当していなければ（ステップＥ４でＮＯ）、画像解析によりその顧客の性別及び年齢層を推定する（ステップＥ６）。そして、「顔認識出力ＩＤ」、「登録日」を新たに生成すると共に（ステップＥ７）、この「顔認識出力ＩＤ」、「登録日」、「性別」、「年齢層」を含む新規レコードを生成し（ステップＥ８）、顧客データベースＹ３に新規顧客として登録（追加登録）する（ステップＥ９）。また、顔の特徴点データを「顔認識出力ＩＤ」と共に顔認識用データファイルＹ２に新規顧客として登録（追加登録）する（ステップＥ１０）。そして、新規顧客として追加登録したことを知らせる通知データ（メッセージ）をＥＣＲ１００に送信した後（ステップＥ１１）、次のステップＥ１２に移る。
【００５１】
このステップＥ１２では、顧客データベースＹ３を検索し、対応する「売上実績」に今回の取引分の売上金額を更新すると共に、その顧客の「来店実績」に“１”を加算してその値を更新する処理を行う。そして、この「売上実績」がその基準値未満で、かつ「来店実績」がその基準値未満であれば（ステップＥ１３でＮＯ）、最初のステップＥ１に戻るが、「売上実績」、「来店実績」のうち、少なくともそのいずれか一方がその基準値以上であれば（ステップＥ１３でＹＥＳ）、その顧客を優良顧客として特定する（ステップＥ１４）。そして、優良顧客として接客すべきことを示す接客案内メッセージを取得した後（ステップＥ１５）、画像解析により顧客の性別及び年齢層を推測し（ステップＥ１６）、この性別及び年齢層に対応して予め用意されている広告データ（例えば、性別及び年齢層に応じた推奨品の広告データ）を取得する（ステップＥ１７）。このようにして取得した接客案内メッセージ、広告データと共に、クーポンデータをＥＣＲ１００に送信した後（ステップＥ１８）、最初のステップＥ１に戻る。
【００５２】
他方、ＥＣＲ１００側において、サーバ装置２００から新規顧客を登録した旨のデータを受信したときには（図１０のステップＤ３）、操作者用表示部１６に新規顧客を登録した旨のメッセージを案内表示させる（ステップＤ４）。また、優良顧客に関するデータを受信したときには（ステップＤ５でＹＥＳ）、受信した接客案内メッセージを操作者用表示部１６に表示させると共に（ステップＤ４）、顧客の性別及び年齢層に応じた広告データを今回の一取引分の売上データ、預かり金、つり銭と共にレシート印刷させる（ステップＤ７）。そしてレシートの末尾にクーポンを印刷させた後（ステップＤ８）、クーポン付きレシートを発行させる（ステップＣ９）。
【００５３】
以上のように、第２実施形態においてＥＣＲ１００は、売上データの登録待ちしている顧客を客側カメラ２５により撮影した場合にその画像データをサーバ装置２００に送信し、サーバ装置２００は、画像データと顔認識用データファイルＹ２の内容とを比較して顧客を特定するほか、顧客データベースＹ３を参照してその特定顧客の購入実績、来店実績に基づいて優良顧客であるか否かを判別し、その優良顧客であれば、その優良顧客に関するデータをＥＣＲ１００に送信し、ＥＣＲ１００は、優良顧客に対して所定の処理を実行するようにしたので、第１実施形態と基本的には同様に、顧客に対して会員登録の手続きを要求しなくても、売上データの登録時に優良顧客を特定してサービスを提供することができ、顧客サービスの向上や販売促進を図ることが可能となる。なお、優良顧客に対する所定の処理として、顧客に特典を付与するサービスであれば、顧客の特定が厳密ではなくても顧客に不利益を与えることはない。
【００５４】
その他、この第２実施形態においても基本的には第１実施形態と同様の効果を有する。すなわち、サーバ装置２００は、優良顧客に対する所定の処理として、ＥＣＲ１００側にオペレータに接客方法を知らせる通知データを送信して表示させるようにしたので、優良顧客に対する挨拶の仕方などを疎かにすることを防ぐことが可能となる。また、優良顧客に対する所定の処理として、ＥＣＲ１００側にクーポンの発行を指示するようにしたので、優良顧客にあっては利益を享受することができると共に、自分が優良顧客扱いされていることを知ることができる。更に、優良顧客に対する所定の処理として、ＥＣＲ１００側に広告データの印刷した広告媒体（広告付きレシート）を発行すべきことを指示するようにしたので、購買意欲の高い顧客などをターゲットとした適切な広告が可能となる。
【００５５】
また、サーバ装置２００は、顧客を撮影した画像データを解析してその性別、年齢層を推測して、ＥＣＲ１００側で性別、年齢層に応じた印刷内容の広告媒を発行させるようにしたので、顧客の属性に合った効果的な広告が可能となる。更に、顧客を特定することができなかった場合に、新規顧客として、その画像データを顔認識用データファイルＹ２及び顧客データベースＹ３に登録すると共に、新規顧客を登録したことを示す通知データをＥＣＲ１００側に送信してオペレータに案内表示させるようにしたので、オペレータにあては新規顧客に対する接客が可能となるほか、特別な登録作業を行うことなく、新規顧客の登録が可能となる。
【００５６】
なお、上述した第２実施形態においてサーバ装置２００は、優良顧客に関するデータとして接客案内メッセージ、広告データ、クーポンデータを送信するようにしたが、サーバ装置２００は、優良顧客である旨を指示するデータのみを送信するようにしてもよい。この場合、ＥＣＲ１００側では、その指示に応じて接客案内メッセージ、広告データ、クーポンデータを生成するようにしてもよい。
【００５７】
また、上述した第２実施形態においては、ＥＣＲ１００とサーバ装置２００とをＬＡＮ（構内専用回線）３００を介して接続したＬＡＮシステムに適用するようにしたが、カードインターフェイス部２７に挿入接続されているＳＤカード２８内に顧客撮影画像を記憶させておき、このＳＤカード２８をＰＣ（管理装置）に挿入接続するようにしてもよい。すなわち、ＳＤカード２８などの可搬型外部記憶媒体を介してＰＣ（管理装置）側に顧客撮影画像を供給するようにしてもよい。例えば、一日の営業の終了時にＰＣ側にＳＤカード２８を介して顧客の撮影画像を一括して供給するようにすればよい。この場合、ＰＣ側では各撮影画像に基づいて顧客を特定すると共に、優良顧客であるか否かを特定し、優良顧客であれば、その優良顧客に関するデータを、ＳＤカード２８を介してＥＣＲ１００に供給し、ＥＣＲ１００側では優良顧客が来店する次回の取引時に所定の処理を実行するようにしてもよい。
【００５８】
また、上述した各実施形態においては、購入実績、来店実績のいずれかが基準値以上を条件に優良顧客として特定するようにしたが、購入実績、来店実績の両方が基準値以上であることを条件に優良顧客として特定するようにしてもよい。
【００５９】
また、上述した実施形態においては、印刷物としては、レシートを例にしたが、これに限らず、クーポン、領収書などであってもよい。
【００６０】
また、上述した各実施形態においては、顧客を動画撮影しておき、その動画ファイルから１フレーム分の画像（静止画像）を抽出するようにしたが、顧客の撮影画像は動画に限らず、静止画像を撮影するようにしてもよい。また、上述した各実施形態においては、ＥＣＲ（売上データ処理装置）をＥＣＲ本体ユニット部１とカメラユニット部２とに分離した構成としたが、それらを統合した構成であってもよい。また、上述した実施形態においては、売上データ処理装置としてＥＣＲに適用した場合を示したが、構内専用回線に接続したＰＯＳ端末に適用するようにしてもよい。
【００６１】
また、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００６２】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
売上データを取引毎に登録処理する売上データ処理装置であって、
登録待ちの顧客を撮影する撮像手段と、
前記撮像手段により撮影された顧客の画像データに基づいて、その顧客を特定する顧客特定手段と、
少なくともその顧客の購入実績、来店実績のいずれかを示す実績データを顧客別に記憶管理する顧客データ記憶手段と、
前記顧客特定手段により特定された顧客に対応する前記実績データに基づいて、当該顧客は優良顧客であるか否かを判別する判別手段と、
前記判別手段により優良顧客であることが判別された場合に、その優良顧客に対して所定の処理を実行する処理手段と、
を具備したことを特徴とする売上データ処理装置である。
（請求項２）
請求項２に記載の発明は、請求項１に記載の売上データ処理装置において、
前記処理手段は、前記優良顧客に対する所定の処理として、接客方法を知らせる通知データを表示させる処理を実行する、
ようにしたことを特徴とする売上データ処理装置である。
（請求項３）
請求項３に記載の発明は、請求項１あるいは請求項２に記載の売上データ処理装置において、
データ印刷を行う印刷手段を更に備え、
前記処理手段は、前記優良顧客に対する所定の処理として、前記印刷手段に対してクーポン印刷を指示してクーポンを発行させる処理を実行する、
ようにしたことを特徴とする売上データ処理装置である。
（請求項４）
請求項４に記載の発明は、請求項１〜請求項３のいずれかに記載の売上データ処理装置において、
データ印刷を行う印刷手段を更に備え、
前記処理手段は、前記優良顧客に対する所定の処理として、前記印刷手段に対して広告データの印刷を指示して広告媒体を発行させる処理を実行する、
ようにしたことを特徴とする売上データ処理装置である。
（請求項５）
請求項５に記載の発明は、請求項４に記載の売上データ処理装置において、
前記撮像手段により撮影された顧客の画像データに基づいて、少なくもその顧客の性別、年齢層のいずれかを推測する推測手段を更に備え、
前記処理手段は、前記優良顧客に対する所定の処理として、前記推測手段により推測された性別、年齢層に応じた印刷内容の広告媒体を発行させる、
ようにしたことを特徴とする売上データ処理装置である。
（請求項６）
請求項６に記載の発明は、請求項１〜請求項５のいずれかに記載の売上データ処理装置において、
前記顧客特定手段により顧客を特定することができなかった場合に、前記撮影された顧客を新規顧客として、その画像データを前記顧客データ記憶手段に登録する登録手段と、
前記新規顧客である旨を前記売上データ処理装置に対して通知する通知手段と、
を更に備える、
ようにしたことを特徴とする売上データ処理装置である。
（請求項７）
請求項７に記載の発明は、請求項１〜請求項６のいずれかに記載の売上データ処理装置であって、
前記撮像手段は、登録待ち顧客が視認する客用表示部に搭載されていると共に登録待ち顧客の顔を対面撮影することが可能な向きに設置されている、
ことを特徴とする売上データ処理装置である。
（請求項８）
請求項８に記載の発明は、
売上データを取引毎に登録処理する売上データ処理装置と、売上データを管理する管理装置を備えた売上データ処理システムであって、
前記売上データ処理装置は、登録待ちの顧客を撮影する撮像手段と、を備え、
前記管理装置は、
前記撮像手段により撮影された顧客の画像データに基づいてその顧客を特定する顧客特定手段と、
顧少なくともその顧客の購入実績、来店実績のいずれかを示す実績データを顧客別に記憶管理する顧客データ記憶手段と、
前記顧客特定手段により特定された顧客に対応する前記実績データに基づいて、当該顧客は優良顧客であるか否かを判別する判別手段と、
を備え、
更に前記売上データ処理装置は、前記判別手段により優良顧客であると判別された場合に、その優良顧客に対して所定の処理を実行する処理手段と、を備える、
ようにしたことを特徴とする売上データ処理システムである。
（請求項９）
請求項９に記載の発明は、請求項８に記載の売上データ処理システムであって、
前記処理手段は、前記優良顧客に対する所定の処理として、接客方法の通知データを表示させる処理を実行する、
ようにしたことを特徴とする売上データ処理システムである。
（請求項１０）
請求項１０に記載の発明は、請求項８あるいは請求項９に記載の売上データ処理システムであって、
前記売上データ処理装置は、データ印刷を行う印刷手段を更に備え、
前記処理手段は、前記優良顧客に対する所定の処理として、前記印刷手段に対してクーポン印刷を指示してクーポンを発行させる処理を実行する、
ようにしたことを特徴とする売上データ処理システムである。
（請求項１１）
請求項１１に記載の発明は、請求項８〜請求項１０のいずれかに記載の売上データ処理システムであって、
前記売上データ処理装置は、データ印刷を行う印刷手段を更に備え、
前記処理手段は、前記優良顧客に対する所定の処理として、前記印刷手段に対して広告データの印刷を指示して広告媒体を発行させる処理を実行する、
ようにしたことを特徴とする売上データ処理システムである。
（請求項１２）
請求項１２に記載の発明は、請求項１１に記載の売上データ処理システムであって、
前記管理装置は、前記撮像手段により撮影された顧客の画像データに基づいて、少なくもその顧客の性別、年齢層のいずれかを推測する推測手段を更に備え、
前記処理手段は、前記優良顧客に対する所定の処理として、前記推測手段により推測された性別、年齢層に応じた印刷内容の広告媒体を発行させる、
ようにしたことを特徴とする売上データ処理システムである。
（請求項１３）
請求項１３に記載の発明は、請求項８〜請求項１２のいずれかに記載の売上データ処理システムであって、
前記管理装置は、
前記顧客特定手段により顧客を特定することができなかった場合に、前記撮影された顧客を新規顧客として、その画像データを前記顧客データ記憶手段に登録する登録手段と、
前記新規顧客である旨を前記売上データ処理装置に対して通知する通知手段と、
を更に備える、
ようにしたことを特徴とする売上データ処理システムである。
（請求項１４）
請求項１４に記載の発明は、
コンピュータに対して、
売上データを取引毎に登録処理する機能と、
登録待ちの顧客を撮影する機能と、
前記撮影された顧客の画像データに基づいて、その顧客を特定する機能と、
少なくともその顧客の購入実績、来店実績のいずれかを示す実績データを顧客別に記憶管理する機能と、
前記特定された顧客に対応する前記実績データに基づいて、当該顧客は優良顧客であるか否かを判別する機能と、
前記優良顧客であることが判別された場合に、その優良顧客に対して所定の処理を実行する機能と、
を実現させるためのプログラムである。
【符号の説明】
【００６３】
１  ＥＣＲ本体ユニット部
２  カメラユニット部
１１、２１  ＣＰＵ
１２、２２  記憶部
１４  操作部
１５  スキャナ
１９、２９  ＣＯＭポート
２４  客用表示部
２５  客側カメラ
１００  ＥＣＲ
２００  サーバ装置
Ｙ１  客側動画ファイル
Ｙ２  顔認識用データファイル
Ｙ３  顧客データベース
【図１】
2013011934.tif 000003
【図２】
2013011934.tif 000004
【図３】
2013011934.tif 000005
【図４】
2013011934.tif 000006
【図５】
2013011934.tif 000007
【図６】
2013011934.tif 000008
【図７】
2013011934.tif 000009
【図８】
2013011934.tif 000010
【図９】
2013011934.tif 000011
【図１０】
2013011934.tif 000012
【図１１】
2013011934.tif 000013